(57)【要約】      （修正有）【課題】コスト効率の良いマルチモードレシーバを提供する。【解決手段】マルチモード信号取得のためのシステムは、受信信号の通信モードを決定マルチモードレシーバを備える。レシーバは、受信信号、例えば、プリアンブルの特性を解析するための１または複数の解析モジュールを備える。レシーバは、受信信号をサンプリングし、１または複数の解析モジュールが、デジタル形式の受信信号に対して周波数解析を実行する。次いで、解析モジュールの出力は、分類モジュールに供給される。分類モジュールは、異なる通信モードに固有の１または複数の関心周波数に対する電力スペクトル密度（ＰＳＤ）の値を、それらの周波数における所定のＰＳＤの値と比較して、通信モードを決定する。次いで、レシーバは、決定された通信モードを用いて、送信された信号の完全取得をする。【選択図】図１
2013051675.tif 000002
【特許請求の範囲】
【請求項１】
ネットワーク上で信号を送受信するためのシステムであって、
マルチモード信号取得のために構成されたレシーバを備え、前記レシーバは、
受信信号をフィルタリングしてフィルタリング済み信号を生成するよう構成されたフィルタモジュールと、
前記フィルタリング済み信号をサンプリングしてサンプリング済み信号を生成するよう構成されたサンプリングモジュールと、
第１の所定の周波数に関連する前記サンプリング済み信号の少なくとも１つの特性を解析し、前記少なくとも１つの特性に関連する第１の出力信号を生成するよう構成された第１の解析モジュールと、
第２の所定の周波数に関連する前記サンプリング済み信号の前記少なくとも１つの特性を解析し、前記少なくとも１つの特性に関連する第２の出力信号を生成するよう構成された第２の解析モジュールと、
前記第１の解析モジュールからの前記第１の出力および前記第２の解析モジュールからの前記第２の出力に基づいて、前記受信信号を複数の異なる通信モードの１つに分類するよう構成された分類モジュールと、
を備える、システム。
【請求項２】
請求項１に記載のシステムであって、前記第１の所定の周波数は、前記第２の所定の周波数と異なる、システム。
【請求項３】
請求項１に記載のシステムであって、前記少なくとも１つの特性は、電力スペクトル密度（ＰＳＤ）を含む、システム。
【請求項４】
請求項１に記載のシステムであって、前記第１の解析モジュールおよび前記第２の解析モジュールは、前記第１の所定の周波数および前記第２の所定の周波数にそれぞれ基づいてＧｏｅｒｔｚｅｌアルゴリズムを実行するよう構成される、システム。
【請求項５】
請求項１に記載のシステムであって、前記第１の所定の周波数は、前記複数の異なる通信モードの内の第１の通信モードに関連し、前記第２の所定の周波数は、前記複数の異なる通信モードの内の第２の通信モードに関連する、システム。
【請求項６】
請求項５に記載のシステムであって、前記複数の異なる通信モードの内の前記第１の通信モードおよび前記複数の異なる通信モードの内の前記第２の通信モードは各々、振幅偏移変調（ＡＳＫ）通信モード、周波数偏移変調（ＦＳＫ）通信モード、位相偏移変調（ＰＳＫ）通信モード、直交振幅変調（ＱＡＭ）通信モード、直交ＰＳＫ（ＱＰＳＫ）通信モード、オフセットＱＰＳＫ（Ｏ−ＱＰＳＫ）通信モード、および、直交周波数分割多重（ＯＦＤＭ）通信モードからなる群より選択される、システム。
【請求項７】
請求項１に記載のシステムであって、さらに、トランスミッタを備える、システム。
【請求項８】
レシーバにおけるマルチモード信号取得の方法であって、
複数の異なる通信モードの１つに関連する通信信号を受信する工程と、
前記通信信号をサンプリングしてサンプリング済み信号を生成する工程と、
第１の所定の周波数に関連する前記サンプリング済み信号の少なくとも１つの特性を解析する工程と、
前記少なくとも１つの特性に関連する第１の出力信号を生成する工程と、
第２の所定の周波数に関連する前記サンプリング済み信号の前記少なくとも１つの特性を解析する工程と、
前記少なくとも１つの特性に関連する第２の出力信号を生成する工程と、
前記受信した信号を、前記第１の出力信号および前記第２の出力信号に基づいて、前記複数の異なる通信モードの１つに分類する工程と、
を備える、方法。
【請求項９】
請求項８に記載の方法であって、前記第１の所定の周波数は、前記第２の所定の周波数と異なる、方法。
【請求項１０】
請求項８に記載の方法であって、前記少なくとも１つの特性は、電力スペクトル密度（ＰＳＤ）を含む、方法。
【請求項１１】
請求項８に記載の方法であって、前記第１の解析モジュールおよび前記第２の解析モジュールは、前記第１の所定の周波数および前記第２の所定の周波数にそれぞれ基づいてＧｏｅｒｔｚｅｌアルゴリズムを実行するよう構成される、方法。
【請求項１２】
請求項８に記載の方法であって、前記第１の所定の周波数は、前記複数の異なる通信モードの内の第１の通信モードに関連し、前記第２の所定の周波数は、前記複数の異なる通信モードの内の第２の通信モードに関連する、方法。
【請求項１３】
請求項１２に記載の方法であって、前記複数の異なる通信モードの内の前記第１の通信モードおよび前記複数の異なる通信モードの内の前記第２の通信モードは各々、振幅偏移変調（ＡＳＫ）通信モード、周波数偏移変調（ＦＳＫ）通信モード、位相偏移変調（ＰＳＫ）通信モード、直交振幅変調（ＱＡＭ）通信モード、直交ＰＳＫ（ＱＰＳＫ）通信モード、オフセットＱＰＳＫ（Ｏ−ＱＰＳＫ）通信モード、および、直交周波数分割多重（ＯＦＤＭ）通信モードからなる群より選択される、方法。
【請求項１４】
請求項８に記載の方法であって、さらに、前記複数の異なる通信モードの前記１つに従って、完全な信号取得をするよう前記レシーバを構成する工程を備える、方法。
【請求項１５】
デジタル信号を処理するよう構成された装置であって、
受信信号をフィルタリングしてフィルタリング済み信号を生成するよう構成されたフィルタモジュールと、
前記フィルタリング済み信号をサンプリングしてサンプリング済み信号を生成するよう構成されたサンプリングモジュールと、
第１の所定の周波数に関連する前記サンプリング済み信号のスペクトル密度を解析し、前記第１の所定の周波数に対する前記スペクトル密度に関連する第１の出力信号を生成するよう構成された第１の解析モジュールと、
第２の所定の周波数に関連する前記サンプリング済み信号の前記スペクトル密度を解析し、前記第２の所定の周波数に対する前記スペクトル密度に関連する第２の出力信号を生成するよう構成された第２の解析モジュールと、
前記第１の解析モジュールからの前記第１の出力および前記第２の解析モジュールからの前記第２の出力に基づいて、前記受信信号を複数の異なる通信モードの１つに分類するよう構成された分類モジュールと、
を備える、装置。
【請求項１６】
請求項１５に記載の装置であって、前記第１の所定の周波数は、前記第２の所定の周波数と異なる、装置。
【請求項１７】
請求項１５に記載の装置であって、前記第１の解析モジュールおよび前記第２の解析モジュールは、前記第１の所定の周波数および前記第２の所定の周波数にそれぞれ基づいてＧｏｅｒｔｚｅｌアルゴリズムを実行するよう構成される、装置。
【請求項１８】
請求項１５に記載の装置であって、前記第１の所定の周波数は、前記複数の異なる通信モードの内の第１の通信モードに関連し、前記第２の所定の周波数は、前記複数の異なる通信モードの内の第２の通信モードに関連する、装置。
【請求項１９】
請求項１８に記載の装置であって、前記複数の異なる通信モードの内の前記第１の通信モードおよび前記複数の異なる通信モードの内の前記第２の通信モードは各々、振幅偏移変調（ＡＳＫ）通信モード、周波数偏移変調（ＦＳＫ）通信モード、位相偏移変調（ＰＳＫ）通信モード、直交振幅変調（ＱＡＭ）通信モード、直交ＰＳＫ（ＱＰＳＫ）通信モード、オフセットＱＰＳＫ（Ｏ−ＱＰＳＫ）通信モード、および、直交周波数分割多重（ＯＦＤＭ）通信モードからなる群より選択される、装置。
【請求項２０】
請求項１５に記載の装置であって、前記装置は、ユーティリティ通信ネットワーク内のノードに関連する、装置。
【請求項２１】
請求項１５に記載の装置であって、前記装置は、特定用途向け集積回路（ＡＳＩＣ）として実装される、装置。
【請求項２２】
異なる通信モードの複数の信号をレシーバに送信し、前記複数の信号を前記レシーバで受信する方法であって、
第１の通信モードに従って、第１の信号を第１のトランスミッタから前記レシーバに送信する工程と、
第２の通信モードに従って、第２の信号を第２のトランスミッタから前記レシーバに送信する工程と、
を備え、
前記第１の通信モードは前記第２の通信モードと異なり、前記第１の信号および前記第２の信号は、共通の初期通信モードなしに前記レシーバに送信される、方法。
【請求項２３】
請求項２２に記載の方法であって、さらに、
前記第１の信号をサンプリングして第１のサンプリング済み信号を生成する工程と、
第１の所定の周波数に関連する前記第１のサンプリング済み信号の少なくとも１つの特性を解析する工程と、
前記第１のサンプリング済み信号の前記少なくとも１つの特性に関連する第１の出力信号を生成する工程と、
第２の所定の周波数に関連する前記第１のサンプリング済み信号の前記少なくとも１つの特性を解析する工程と、
前記第１のサンプリング済み信号の前記少なくとも１つの特性に関連する第２の出力信号を生成する工程と、
前記第１の信号を、前記第１の出力信号および前記第２の出力信号に基づいて、前記異なる通信モードの１つに分類する工程と、
を備える、方法。
【請求項２４】
請求項２３に記載の方法であって、さらに、
前記第２の信号をサンプリングして第２のサンプリング済み信号を生成する工程と、
前記第１の所定の周波数に関連する前記第２のサンプリング済み信号の少なくとも１つの特性を解析する工程と、
前記第２のサンプリング済み信号の前記少なくとも１つの特性に関連する第３の出力信号を生成する工程と、
前記第２の所定の周波数に関連する前記第２のサンプリング済み信号の前記少なくとも１つの特性を解析する工程と、
前記第２のサンプリング済み信号の前記少なくとも１つの特性に関連する第４の出力信号を生成する工程と、
前記第２の信号を、前記第３の出力信号および前記第４の出力信号に基づいて、前記異なる通信モードの１つに分類する工程と、
を備える、方法。
【発明の詳細な説明】
【技術分野】
【０００１】
本発明は、様々な異なる通信モードを用いて送信された信号の取得に関する。
【背景技術】
【０００２】
単一のレシーバで異なる通信モードの通信信号を取得するための現在の技術は、モード切替（例えば、ＩＥＥＥ８０２．１５．４ｇ規格に基づくもの）を利用する。モード切替は、単一のレシーバが、共通の初期通信モードを用いて複数の通信モードをサポートすることを可能にする。例えば、トランスミッタとレシーバとの間の共通の初期通信モードの一部として、次に受信される信号のための特定の通信モードがレシーバに提供される。次いで、レシーバは、その特定の通信モードに対応する信号を受信するよう切り替えまたは構成されうる。
【発明の概要】
【０００３】
共通の初期通信モードの利用は、複数のモードの信号を受信できるレシーバを実装するのに有効であるが、かかる技術は、共通モード動作のための厳しい要件によって利用可能性が限られる。例えば、やり取りされる信号が、異なる通信規格（例えば、ＩＥＥＥ８０２．１１、ＩＥＥＥ８０２．１５、ＩＥＥＥ８０２．１６など）に関連している場合、すべての初期通信が同じ共通モードを用いて実行されることを要求するのは、困難または不可能である。さらに、共通の初期通信モードが必要であれば、マルチモード信号取得に必要なコンピュータリソースと、レシーバが消費する電力とを増大させうる。
【０００４】
したがって、本発明は、異なる通信モードの信号を取得するためのコスト効率のよいシステムおよび方法を提供する。例えば、本発明は、様々な通信規格（例えば、ＩＥＥＥ８０２．１５．４ｇ、ＩＥＥＥ８０２．１１など）の通信モードでありうる様々な通信モード（例えば、位相偏移変調（ＰＳＫ）、周波数偏移変調（ＦＳＫ）、直交周波数分割多重（ＯＦＤＭ）、直交位相偏移変調（ＱＰＳＫ）など）を用いた信号を受信および特定するよう構成されたマルチモードレシーバを提供する。
【０００５】
一実施形態において、本発明は、ネットワーク上で信号を送受信するためのシステムを提供する。システムは、マルチモード信号取得を行うよう構成されたレシーバを備える。レシーバは、フィルタモジュールと、サンプリングモジュールと、第１の解析モジュールと、第２の解析モジュールと、分類モジュールと、を備える。フィルタモジュールは、受信信号をフィルタリングしてフィルタリング済み信号を生成するよう構成される。サンプリングモジュールは、フィルタリング済み信号をサンプリングしてサンプリング済み信号を生成するよう構成される。第１の解析モジュールは、第１の所定の周波数に関連するサンプリング済み信号の少なくとも１つの特性を解析するよう構成される。第１の解析モジュールは、さらに、少なくとも１つの特性に関連する第１の出力信号を生成するよう構成される。第２の解析モジュールは、第２の所定の周波数に関連するサンプリング済み信号の少なくとも１つの特性を解析するよう構成される。第２の解析モジュールは、さらに、少なくとも１つの特性に関連する第２の出力信号を生成するよう構成される。分類モジュールは、第１の解析モジュールからの第１の出力および第２の解析モジュールからの第２の出力に基づいて、受信信号を複数の異なる通信モードの１つに分類するよう構成される。
【０００６】
別の実施形態において、本発明は、レシーバにおけるマルチモード信号取得方法を提供する。方法は、複数の異なる通信モードの１つに関連する通信信号を受信する工程と、通信信号をサンプリングして、サンプリング済み信号を生成する工程と、第１の所定の周波数に関連するサンプリング済み信号の少なくとも１つの特性を解析する工程と、を備える。次いで、少なくとも１つの特性に関連する第１の出力信号が生成される。方法は、さらに、第２の所定の周波数に関連するサンプリング済み信号の少なくとも１つの特性を解析する工程と、少なくとも１つの特性に関連する第２の出力信号を生成する工程と、受信した信号を、第１の出力信号および第２の出力信号に基づいて、複数の異なる通信モードの１つに分類する工程と、を備える。
【０００７】
別の実施形態において、本発明は、デジタル信号を処理するよう構成された装置を提供する。装置は、フィルタモジュールと、サンプリングモジュールと、第１の解析モジュールと、第２の解析モジュールと、分類モジュールと、を備える。フィルタモジュールは、受信信号をフィルタリングしてフィルタリング済み信号を生成するよう構成される。サンプリングモジュールは、フィルタリング済み信号をサンプリングしてサンプリング済み信号を生成するよう構成される。第１の解析モジュールは、第１の所定の周波数に関連するサンプリング済み信号のスペクトル密度を解析するよう構成される。第１の解析モジュールは、さらに、第１の所定の周波数のスペクトル密度に関連する第１の出力信号を生成するよう構成される。第２の解析モジュールは、第２の所定の周波数に関連するサンプリング済み信号のスペクトル密度を解析するよう構成される。第２の解析モジュールは、さらに、第２の所定の周波数のスペクトル密度に関連する第２の出力信号を生成するよう構成される。分類モジュールは、第１の解析モジュールからの第１の出力および第２の解析モジュールからの第２の出力に基づいて、受信信号を複数の異なる通信モードの１つに分類するよう構成される。
【０００８】
別の実施形態において、本発明は、異なる通信モードの複数の信号をレシーバに送信し、それら複数の信号をレシーバで受信する方法を提供する方法は、第１の信号を第１のトランスミッタからレシーバに送信する工程を備える。第１の信号は、第１の通信モードに従って送信される。方法は、さらに、第２の信号を第２のトランスミッタからレシーバに送信する工程を備える。第２の信号は、第２の通信モードに従って送信され、第１の通信モードは、第２の通信モードと異なる。第１の信号および第２の信号は、共通の初期通信モードなしに、レシーバに送信される。
【０００９】
本発明の他の態様については、詳細な説明および添付の図面から明らかになる。
【図面の簡単な説明】
【００１０】
【図１】本発明の一実施形態に従って、通信システムを示す図。
【００１１】
【図２】本発明の一実施形態に従って、通信装置を示す図。
【００１２】
【図３】本発明の一実施形態に従って、レシーバを示す図。
【００１３】
【図４】第１の通信モードに従って送信された信号の電力スペクトル密度の推定値の図。
【００１４】
【図５】第２の通信モードに従って送信された信号の電力スペクトル密度の推定値の図。
【００１５】
【図６】本発明の一実施形態に従って、マルチモード信号を取得するための処理を示す図。
【発明を実施するための形態】
【００１６】
本発明の実施形態を詳細に説明する前に、本発明は、以下の記載に説明されたまたは以下の図面に示された構造の詳細事項および要素の構成にその適用を限定されないことを理解されたい。本発明は、他の実施形態も可能であり、様々な形態で実施または実行されることができる。
【００１７】
本発明の実施形態は、ネットワーク（ユーティリティ通信ネットワークなど）内でのマルチモード信号取得のためのシステムおよび方法に関する。かかるシステムは、例えば、低いまたは限られたコンピュータ要件（例えば、処理要件、メモリ要件など）および電力要件で、入力信号すなわち受信信号の通信モードを効率的かつ効果的に特定するよう構成されたマルチモードレシーバを備える。マルチモードレシーバは、特に、受信信号または受信信号の一部（例えば、プリアンブルまたは同期ワード、ヘッダなど）の特性（例えば、振幅、電力、電力スペクトル密度（ＰＳＤ）など）を解析するための１または複数の解析モジュールを備えうる。かかるマルチモードレシーバは、受信信号の通信モードを決定または特定するための処理に対応するコンピュータ読み取り可能な命令を実行するよう構成されうる。その処理は、特に、別の装置から信号（例えば、変調アナログ信号）を受信する工程を備える。受信信号は、振幅偏移変調（ＡＳＫ）、周波数偏移変調（ＦＳＫ）、位相偏移変調（ＰＳＫ）、直交振幅変調（ＱＡＭ）、バイナリＦＳＫ（ＢＦＳＫ）、最小ＦＳＫ（ＭＳＫ）、マルチレベルＦＳＫ（ＭＦＳＫ）、差動ＰＳＫ（ＤＰＳＫ）、バイナリＰＳＫ（ＢＰＳＫ）、直交ＰＳＫ（ＱＰＳＫ）、オフセットＱＰＳＫ（Ｏ−ＱＰＳＫ）、直交周波数分割多重（ＯＦＤＭ）など、様々な変調および／または送信技術のいずれかを用いて変調された信号であってよい。次いで、受信アナログ信号は、処理および解析のためにキャリア信号の周波数を低周波に偏移させる中間周波（ＩＦ）フィルタを用いてフィルタリングされる。
【００１８】
アナログデジタル変換の後に、信号は、デジタル形式の受信信号に対して周波数解析を実行する１または複数の解析モジュールに供給される。周波数解析は、多くの異なる方法で（例えば、Ｇｏｅｒｔｚｅｌアルゴリズムを用いて）実行できる。信号の特性が解析された後、解析モジュールの出力は、分類モジュールに供給される。分類モジュールは、例えば、異なる通信モードに固有の１または複数の関心周波数(frequency of interest)についてのＰＳＤを、通信モードの各々に対する関心周波数における所定のＰＳＤ値と比較する。様々な通信モードについてのＰＳＤ値の比較に基づいて、通信モードが決定されてよく、マルチモードレシーバは、決定された通信モードに従って送信された信号を完全に取得するよう構成されうる。このように、通信モードは、さらなる情報がユーティリティ通信ネットワークを通して送信されることを必要とせずに決定されうる。さらに、通信モードが比較的低い周波数の受信信号の一部（例えば、プリアンブル）に基づいて決定されうるため、解析が実行される関心周波数は、明確に規定されることが可能であり、比較的狭い周波数帯域内に含まれる。
【００１９】
図１は、第１のバックオフィスシステム（ＢＯＳ）１０５と、第２のＢＯＳ１１０と、通信ネットワーク１１５と、ドメイン名システムまたはサーバ（ＤＮＳ）１２０と、アクセスポイント１２５と、ローカルネットワーク１３０と、ノード１３５〜１４５とを備える汎用通信システム１００（例えば、ユーティリティ通信システムまたはネットワーク）を示す。ノード１３５〜１４５は、Ｗｉ−Ｆｉ、Ｂｌｕｅｔｏｏｔｈ（登録商標）、ＺｉｇＢｅｅなどの様々な通信プロトコルのいずれかを用いて、ローカルエリアネットワーク（ＬＡＮ）、近隣エリアネットワーク（ＮＡＮ）、ホームエリアネットワーク（ＨＡＮ）、または、パーソナルエリアネットワーク（ＰＡＮ）などのネットワーク１３０を通して通信を行う。このネットワークは、アクセスポイント１２５と通信するよう構成されており、アクセスポイント１２５は、通信ネットワーク１１５とも関連付けられている通信ネットワーク１１５は、例えば、広域ネットワーク（ＷＡＮ）（例えば、ＴＣＰ／ＩＰベースのネットワーク、移動通信用グローバルシステム（ＧＳＭ（登録商標））ネットワーク、汎用パケット無線サービス（ＧＰＲＳ）ネットワーク、符号分割多重アクセス（ＣＤＭＡ）ネットワーク、進化データ最適化（ＥＶ−ＤＯ）ネットワーク、ＧＳＭ進化型高速データレート（ＥＤＧＥ）ネットワーク、３ＧＳＭネットワーク、デジタル強化コードレス通信（ＤＥＣＴ）ネットワーク、デジタルＡＭＰＳ（ＩＳ−１３６／ＴＤＭＡ）ネットワーク、統合デジタル強化ネットワーク（ｉＤＥＮ）ネットワーク、デジタル高度携帯電話システム（Ｄ−ＡＭＰＳ）など）である。
【００２０】
ノード１３５〜１４５とネットワーク１３０との間の接続、および、ネットワーク１３０とアクセスポイント１２５との間の接続は、例えば、有線接続、無線接続、もしくは、無線および有線接続の組み合わせである。いくつかの実施形態において、ノード１３５〜１４５は、無線通信を用いてネットワーク１３０を通して通信し、第１のアクセスポイント１２５は、有線ネットワーク接続を用いてネットワーク１３０を通して通信する。
【００２１】
いくつかの実施形態において、上述のネットワークは、例えば、メッシュネットワークトポロジを用いて通信システム１００に冗長性を提供する自己構成型ネットワークすなわちモバイルアドホックネットワーク（ＭＡＮＥＴ）である。他の実施形態において、ネットワークは、リング型、スター型、ライン型、ツリー型、バス型、または、フルコネクト型ネットワークトポロジなど、異なるネットワークトポロジを有する。図の実施形態において、ネットワークに関連付けられた装置間のネットワークおよび通信は、ポートベースネットワークセキュリティのためにＩＥＥＥ８０２．１規格で提供されている技術、事前共有鍵、拡張認証プロトコル（ＥＡＰ）、有線同等プライバシ（ＷＥＰ）、一時キーインテグリティプロトコル（ＴＫＩＰ）、ＷｉＦｉ保護アクセス（ＷＰＡ）など、１または複数の暗号化技術を用いて保護できる。
【００２２】
ＤＮＳ１２０は、アクセスポイント１２５を通してネットワーク１３０に接続する。別の実施形態では、ＤＮＳ１２０は、通信ネットワーク１１５そしてアクセスポイント１２５を通してネットワーク１３０に接続する。いくつかの実施形態において、ＤＮＳ１２０は、ダイナミックＤＮＳ（ＤＤＮＳ）サービスを提供するためにダイナミックアップデートを受信および処理することができる。ＢＯＳ１０５および１１０からネットワーク１３０内のノード１３５〜１４５に送信されるメッセージは、１または複数のノードに関連付けられてＤＮＳ１２０に登録された固有のネットワークアドレスによって送信される。いくつかの実施形態において、ＤＮＳ１２０は、単一のＬＡＮに専用であるか、または、複数のＬＡＮによって共有される。ＤＮＳ１２０は、ノード１３５〜１４５およびネットワーク１３０のためのネットワークアドレスを維持する。ノード１３５〜１４５のためのネットワークアドレスは、例えば、ノードルートレジストリに格納または維持される。いくつかの実施形態において、ＤＮＳ１２０は、さらに、ノードアドレス割り当てインジケータまたはノードプリファレンスインジケータなど、アドレス割り当て情報を維持する。通信システム（システム１００など）内のノードのためのネットワーク登録および通信処理は、２００７年５月２４日出願の米国特許出願公開第２００８／０１８９４３６号"METHOD AND SYSTEM OF PROVIDING IP-BASED PACKET COMMUNICATIONS IN A UTILITY NETWORK"に詳細に記載されており、その内容全体が参照によって本明細書に組み込まれる。
【００２３】
第１のＢＯＳ１０５および第２のＢＯＳ１１０は、通信ネットワーク１１５を介してアクセスポイント１２５またはノード１３５〜１４５の内の１または複数と通信できる単一の装置、装置の組み合わせ、ネットワーク管理システム、サーバ、１または複数のコンピュータ、１または複数のネットワーク装置、１または複数の通信装置、１または複数のソフトウェアアプリケーション、もしくは、様々なコンポーネントとして実装される。第１のＢＯＳ１０５および第２のＢＯＳ１１０は、例えば、１または複数のユーティリティ業者、クレジットカード会社、その他の金融機関などと関連付けられている。
【００２４】
図２は、特に、制御ユニットすなわちコントローラ２０５、第１の無線機２１０、および、第２の無線機２１５を備える装置２００（ノード、アクセスポイント、ＢＯＳ、もしくは、通信システム１００の別の構成要素または装置など）を示す。装置２００は、トランスミッタ、レシーバ、もしくは、トランスミッタおよびレシーバの両方として構成されうる。コントローラ２０５は、例えば、制御または処理ユニット２２０と、メモリ２２５と、入力／出力（Ｉ／Ｏ）モジュール２３０と、電源モジュール２３５と、コントローラ２０５内の構成要素を動作可能かつ通信可能に接続するための１または複数のバスと、を備える。処理ユニット２２０は、例えば、プロセッサ、マイクロプロセッサ、マイクロコントローラなどである。メモリ２２５は、例えば、読み出し専用メモリ（ＲＯＭ）、ランダムアクセスメモリ（ＲＡＭ）、電気的消去可能プログラマブル読み出し専用メモリ（ＥＥＰＲＯＭ）、フラッシュメモリ、ハードディスク、ＳＤカード、もしくは、別の適切な磁気的、光学的、物理的、または、電子的メモリデバイスを含む。Ｉ／Ｏモジュール２３０は、コントローラ２０５の外部の構成要素または装置との間で情報を送受信するためのルーチンと、コントローラ２０５内の構成要素の間で情報を送信するためのルーチンとを備えうる。装置２００の実装に含まれるソフトウェアは、コントローラ２０５のメモリ２２５に格納できる。ソフトウェアは、例えば、本明細書に記載の方法を実行するためのファームウェアアプリケーションおよびその他の実行可能な命令を含む。他の実施形態において、コントローラ２０５は、さらなる構成要素または異なる構成要素を備えてもよいし、構成要素の数が少なくてもよい。
【００２５】
コントローラ２０５は、１または複数の半導体チップ（例えば、特定用途向け集積回路（ＡＳＩＣ）、システム・オン・チップ（ＳＯＣ）など）上に部分的または全体的に実装されてよい。いくつかの実施形態では、レジスタ転送レベル（ＲＴＬ）設計処理によって開発されたチップなど、１または複数のフィールドプログラマブルゲートアレイ（ＦＰＧＡ）半導体チップが利用可能である。本発明の様々な実施形態において、コントローラ２０５は、例えば、装置２００内の１または複数のプリント基板（ＰＣＢ）上に少なくとも部分的に実装されうる。例えば、ＰＣＢには、装置２００に動作制御および保護を提供する複数の電気素子および電子素子が実装される。ＰＣＢは、特に、抵抗器、コンデンサ、インダクタ、集積回路、および、増幅器など、複数のさらなる受動素子および能動素子も備える。これらの素子は、特に、フィルタリング、信号調整、および、電圧調整を含む複数の電気的機能をＰＣＢに提供するように配置および接続される。説明のために、ＰＣＢおよびＰＣＢに実装された電気素子を集合的にコントローラ２０５と呼ぶこととする。コントローラ２０５は、無線機２１０および２１５もしくは装置２００内の他の構成要素から信号を受信して調整および処理し、処理および調整された信号を、例えば、ユーティリティ通信ネットワーク１００などに含まれる別の構成要素または装置に送信する。
【００２６】
電源モジュール２３５は、バッテリ、バッテリパック、商用電源プラグなどの電源を備える。バッテリを備える本発明の実施形態において、バッテリは、アルカリバッテリまたはリチウムバッテリであり、例えば、使い捨てまたは充電式のＡＡバッテリ、ＡＡＡバッテリ、６ボルト（６Ｖ）バッテリ、９ボルト（９Ｖ）バッテリなどである。
【００２７】
図３は、中間周波（ＩＦ）フィルタモジュール３０５と、アナログデジタル変換（ＡＤＣ）モジュール３１０と、第１の解析モジュール３１５と、第２の解析モジュール３２０と、第３の解析モジュール３２５と、分類モジュール３３０とを備えるマルチモードレシーバ３００を示す。レシーバ３００は、例えば、装置２００内に備えられ、通信システム１００内の別の装置から信号を受信し、受信信号に対応する通信モードを決定し、決定された通信モードに従って信号を受信するよう構成されてよい。例えば、レシーバ３００は、同じ周波数帯域内で動作する複数の異なる通信モードの信号に対してコスト効率のよいマルチモード信号取得を行うよう構成される。かかる通信モードは、例えば、ＩＥＥＥ８０２．１５．４ｇ規格やＩＥＥＥ８０２．１１規格などのＦＳＫ通信モード、ＯＦＤＭモード、及び、Ｏ−ＱＰＳＫ通信モードなどを含み、それらは、９０２ＭＨｚ〜９２８ＭＨｚの産業科学医療用（ＩＳＭ）周波数帯域で動作する。
【００２８】
ＩＦフィルタ３０５は、受信信号の搬送周波数を、より処理および解析に適した中間周波数帯域に偏移させるよう構成される。ＩＦフィルタ３０５のフィルタリング済み出力は、サンプリングのためにＡＤＣモジュール３１０に供給される。ＡＤＣモジュール３１０のサンプリング済み出力は、第１の解析モジュール３１５、第２の解析モジュール３２０、および、第３の解析モジュール３２５に供給される。３つの解析モジュールが図示されているが、レシーバ３００が備える解析モジュールの数は、本発明の実施形態に応じて異なりうる。図の解析モジュール３１５、３２０、および、３２５の各々は、受信信号の特性（例えば、振幅、電力、ＰＳＤなど）を決定するための１または複数の周波数解析処理を実行するよう構成される。
【００２９】
いくつかの実施形態において、解析モジュール３１５、３２０、および、３２５は、受信信号のプリアンブルまたは同期ワードを解析して、それに対応する通信モードを特定するよう構成される。一般に、プリアンブルは、データのビットストリーム内でデータの開始を特定するために用いられる。しかしながら、データが送信された通信モードに応じて、プリアンブルのスペクトル成分は異なりうる。結果として、受信したプリアンブルに関連する特定の周波数または周波数帯域を解析することによって、対応する通信モードを特定することができる。一例として、解析モジュール３１５、３２０、および、３２５の各々は、例えば、Ｇｏｅｒｔｚｅｌ解析を実行して受信信号または受信信号の一部（例えば、受信信号のプリアンブル）の特定の周波数成分の特性を特定するためにコントローラ２０５のメモリ２２５に格納された命令を実行するよう構成される。Ｇｏｅｒｔｚｅｌ解析は、様々な通信モードのための１または複数のＧｏｅｒｔｚｅｌアルゴリズムを実行する工程を含む。通信モードに応じて、Ｇｏｅｒｔｚｅｌアルゴリズムは、様々な関心周波数に合わせて調整されうる。
【００３０】
例えば、一般的な実装例において、解析モジュールは、式１に示すように、入力数列ｘ（ｎ）を与えられた場合に、Ｇｏｅｒｔｚｅｌアルゴリズムを実行して数列ｓ（ｎ）を計算する。
【数１】
2013051675.tif 000003
ここで、ｓ（−２）＝ｓ（−１）＝０であり、ωは関心周波数である。式１のｚ変換により、以下の式２が得られる。
【数２】
2013051675.tif 000004
【００３１】
以下の式３の形態のさらなる有限インパルス応答（ＦＩＲ）変換を適用すると、
【数３】
2013051675.tif 000005
式４に提供するような全変換が得られる。
【数４】
2013051675.tif 000006
【００３２】
解析モジュール３１５、３２０、および、３２５の上記の変換および動作は、受信したベースバンド信号内の複数の関心周波数の特性を特定するように拡張できる。例えば、上述のＧｏｅｒｔｚｅｌ技術は、ＩＥＥＥ８０２．１５．４ｇ規格のＦＳＫモードに適用できる。これらのＦＳＫモードは、受信信号のボーレートに対応する１組の候補周波数（例えば、２５ｋＨｚ、７５ｋＨｚ、１００ｋＨｚ、１５０ｋＨｚ、２５０ｋＨｚなど）を有する。いくつかの実施形態では、通信モードの特定に影響を与えることなく受信信号のばらつきを許容するために、候補周波数の各々の周辺の周波数帯域すなわち周波数窓が用いられる。その他の通信モード（例えば、ＯＦＤＭ、ＱＰＳＫ、Ｏ−ＱＰＳＫなど）の候補周波数が、解析モジュール３１５、３２０、および、３２５を用いて同様に特定されうる。いくつかの実施形態において、解析モジュール３１５、３２０、および、３２５は、受信信号のボーレートの特定にも利用可能である。
【００３３】
次いで、解析モジュール３１５、３２０、および、３２５の各々の出力は、分類モジュール３３０に供給される。分類モジュール３３０は、受信信号の特性（例えば、振幅、電力、ＰＳＤなど）の値を、様々な通信モードの各候補周波数での１または複数の予測特性値と比較することによって、受信信号の通信モードを決定する。
【００３４】
例えば、レシーバ３００は、候補周波数での受信信号の電力と、複数の通信モードとの間の関係を用いて、受信信号の通信モードを特定することができる。例えば、候補周波数での受信信号の電力と、複数の通信モードの各々に対する候補周波数での予測電力との間の関係が、メモリ（例えば、メモリ２２５）に格納される。関係は、１または複数の関数、１または複数のルックアップテーブル（ＬＵＴ）、もしくは、特定の周波数に対する電力と比較されうる一連の閾値として格納できる。
【００３５】
ＬＵＴを用いる本発明の実装例では、例えば、振幅、電力、ＰＳＤ、または、別の特性の値を様々な通信モードの複数の関心周波数に対応させてメモリ内に格納する。いくつかの実施形態において、８ビット数（すなわち、２５６の値）または１６ビット数（すなわち、６５，５３６の値）が、特定の周波数での受信信号の特性値を特定するために用いられる。いくつかの実施形態において、特性値比較の分解能は、受信信号をサンプリングするために用いたＡＤＣモジュール３１０の分解能に基づく。次いで、特性値は、様々な通信モードについてＬＵＴに格納された値と比較される入力値として用いられる。次いで、受信信号の特性値に対応する１または複数のＬＵＴエントリが、分類モジュール３３０によって特定される。受信信号が既知の通信モードと関連するか否かを判定するために、さらなる比較を行うことができる。受信信号と予測特性値との間に十分な相関がある場合、分類モジュール３３０は、受信信号の通信モードを特定する。十分な相関は、例えば、所定または計算された百分率誤差の値、誤差範囲などを用いて特定されてよい。追加的または代替的に、分類モジュール３３０は、通信モードを特定する前に、受信信号の予測周波数の各々での特性値を特定しなければならない場合がある。かかる実施形態において、十分な振幅、電力、ＰＳＤなどの１または複数の周波数または周波数成分が存在しない場合、通信モードの特定を実行しえない。様々な閾値を用いる本発明の実装例では、特性値は、一連の閾値と順次比較されうる。閾値は、特定の通信モードを示す特定の周波数での特性値に対応する。
【００３６】
通信モードへの１つの一致が見出された場合、一致するボーレートで動作するシングルキャリア信号のプリアンブルが受信されている可能性がある。次いで、装置２００は、特定された通信モードを用いて送信された信号を完全に取得するように自動的に再構成されうる（例えば、特定された通信モード用のプリアンブルが受信されると仮定される）。複数の一致が見出された場合、検出されたトーンにわたるマルチキャリア信号が受信されている可能性がある。次いで、装置２００は、かかる信号の完全な取得のために適宜自動的に再構成されうる。
【００３７】
図４および図５は、それぞれ、２つの異なる通信モードのＰＳＤのグラフ４００および５００を示す。ＰＳＤは、電力（デシベル（ｄＢ））／ヘルツ（Ｈｚ）の単位で示される。図４では、第１の通信モード、ならびに、０．５および１．０の変調指数ｈを有する５０ｋｂｐｓデータリンクについて、ＰＳＤ４０５および４１０がそれぞれ示されている。他の実施形態において、エネルギスペクトル密度（ＥＳＤ）をＰＳＤの代わりにまたはＰＳＤに加えて用いることもできる。ＰＳＤ４０５および４１０で示されるように、図の通信モードの信号プリアンブルは、受信信号の通信モードを特定するために用いることができる特有の周波数ピークを有する。例えば、上述のようなＧｏｅｒｔｚｅｌアルゴリズムを３００ｋＨｚの関心周波数および１または複数の他の周波数で実行した後に、Ｇｏｅｒｔｚｅｌアルゴリズムの出力を所定の電力密度レベル（例えば、−５０ｄＢ／Ｈｚ）と比較すれば、レシーバ３００は、通信モードを特定することができる。図５では、第２の通信モード、ならびに、０．５および１．０の変調指数ｈを有する２００ｋｂｐｓデータリンクについて、ＰＳＤ５０５および５１０がそれぞれ示されている。この通信モードの関心周波数は、１００ｋＨｚ、２００ｋＨｚ、３００ｋＨｚ、４００ｋＨｚ、および／または、５００ｋＨｚであってよい。いくつかの実施形態において、通信モードの特定に用いられる関心周波数の数は、例えば、通信モードと関連する可能性のある周波数の範囲に基づいて異なりうる。対応する解析モジュールの出力により、受信信号のプリアンブルが、例えば−７０ｄＢ／ＨｚのＰＳＤを各々超える周波数成分を関心周波数に含むことが示された場合、関連する通信モードを特定できる。
【００３８】
受信信号の一部（例えば、プリアンブル）に関連する周波数の周波数解析（例えば、Ｇｏｅｒｔｚｅｌ解析）を実行し、それらの周波数での特性（例えば、ＰＳＤ）を、様々な通信モードに対する予測特性値と比較することによって、受信信号の通信モードを迅速かつ効率的に特定できる。また、かかる技術は、マルチモードレシーバ３００のコンピュータ要件と、通信モードを決定する際に消費される電力量とを低減する。いくつかの実施形態では、通信モードを決定する前に、自動利得制御（ＡＧＣ）が実行されてもよい。
【００３９】
一例として、１組の入力信号サンプルｘ、所望の周波数のベクトルＦ、および、所望の周波数の推定入力信号電力のベクトルＰを用いて、入力信号を分類することができる。所望の周波数のベクトルＦは、関心シングルキャリアモードのボーレートおよび／または関心マルチキャリアモードのトーンに対応する。以下の擬似コードは、Ｇｏｅｒｔｚｅｌアルゴリズムを用いて入力信号の通信モードを分類するための本発明の一実施形態である。推定入力信号電力のベクトルＰは、以下に示すように、所望の周波数のベクトルにおける関心周波数の各々について電力値を計算することによって得られる。
***********************************************************************
P = []
For each frequency in F:
{
sample_previous = 0;                             
sample_previous2 = 0;                            
coefficient = 2*cos(2*π\och*frequency);
for each sample, x[n],
sample = x[n] + coefficient*sample_previous _ sample_previous2;
sample_previous2 = sample_previous;
sample_previous = sample;
end
power = (sample_previous2*sample_previous2) + (sample_previous*sample_previous) _ (coefficient*sample_previous*sample_previous2);
P = concatenate(P, power);
}
***********************************************************************
【００４０】
入力信号の電力が、推定入力信号電力のベクトルＰ内のちょうど１つの位置ｊにおいて閾値よりも大きい場合、対応するボーレートＦ［ｊ］を有するシングルキャリア信号が検出される。入力信号の電力が複数の位置（例えば、｛ｊ1、・・・、ｊn｝において少なくとも１つの閾値よりも大きい場合、トーン｛Ｆ（ｊ1、・・・ｊn）｝にわたるマルチキャリア信号が検出される。位置ｊ1およびｊnの中間点（例えば、２つのトーンの中間点）における電力が１または複数の閾値よりも小さい場合、検出されたマルチキャリア信号はＯＦＤＭ信号である。特定の周波数（例えば、信号電力が閾値よりも大きい周波数）での電力とキャリア信号に対応する周波数での電力との比を解析することによって、検出されたシングルキャリア信号を分類するためのさらなる処理が実行されてもよい。かかる解析は、ＦＳＫを用いて変調されたシングルキャリア信号の変調指数を評価するために利用可能である。
【００４１】
受信信号の通信モードを決定するための処理６００を図６に示す。処理６００は、信号の受信（工程６０５）から始まる。例えば、信号は、上述のように、ＦＳＫ、ＰＳＫ、ＱＰＳＫ、Ｏ−ＱＰＳＫ、ＯＦＤＭなど、特定の変調または送信技術に従って送信されたアナログ信号である。次いで、受信アナログ信号はフィルタリングされる（工程６１０）。受信アナログ信号のフィルタリングは、処理および解析に向けてキャリア信号の周波数を低周波数に偏移させるＩＦフィルタの利用を含みうる。いくつかの実施形態において、ＩＦフィルタは、同調局部発振器（ＬＯ）と関連している。
【００４２】
工程６１０の後に、ＩＦフィルタのフィルタリング済み出力が、デジタル信号への変換（すなわち、サンプリング）のためにアナログデジタル変換器（ＡＤＣ）に供給される（工程６１５）。次いで、サンプリング済み信号は、デジタル形式の受信信号に対して周波数解析を実行する１または複数の解析モジュールに供給される（工程６２０）。周波数解析は、多くの方法で実行できる。例えば、Ｇｏｅｒｔｚｅｌアルゴリズム、離散型フーリエ変換（ＤＦＴ）、高速フーリエ変換（ＦＦＴ）、Ｃｏｏｌｅｙ−Ｔｕｋｅｙ型ＦＦＴアルゴリズムなどである。いくつかの実施形態では、異なる通信モードを特定するために、異なる周波数解析技術を利用できる。周波数解析技術の選択は、計算の複雑性、利用可能なハードウェアリソース、電力要件などに基づいてよい。いくつかの実施形態では、特定の周波数に合わせて調整可能であり、より少ない数学演算（例えば、加法、減法、乗法など）で実行できることから、Ｇｏｅｒｔｚｅｌアルゴリズムが用いられる。追加的または代替的に、特定の周波数または狭い帯域の周波数を特定または解析するよう設計された別の技術が、受信信号のプリアンブルの特性を特定するために用いられてもよい。結果として、マルチモードレシーバの実装に必要なハードウェアリソース、周波数解析を実行するために必要な電力、解析を完了するために必要な時間を削減できる。マルチモードレシーバ内に存在する解析モジュールの数は、レシーバが特定するように構成された異なる通信モードの数に応じて異なりうる（例えば、各通信モードに対して１つの解析モジュール）。信号の周波数成分が解析された後、解析モジュールの出力は、分類モジュールに供給される。分類モジュールは、例えば、異なる通信モードに固有の１または複数の関心周波数に対するＰＳＤを、通信モードの各々に対するそれら固有の周波数における所定のＰＳＤ値と比較する。様々な通信モードに対するＰＳＤ値の比較に基づいて、通信モードが決定されうる（工程６２５）。通信モードの決定に続いて、マルチモードレシーバは、決定された通信モードに従って送信された信号を完全に取得するように構成される（例えば、自動的に構成または再構成される）（工程６３０）。
【００４３】
このように、本発明は、特に、異なる通信モードに従って送信された通信信号を取得するためのシステムおよび方法を提供する。本発明の様々な特徴および利点が、以下の特許請求の範囲に記載されている。
【図１】
2013051675.tif 000007
【図２】
2013051675.tif 000008
【図３】
2013051675.tif 000009
【図４】
2013051675.tif 000010
【図５】
2013051675.tif 000011
【図６】
2013051675.tif 000012
【手続補正書】
【提出日】平成24年10月2日(2012.10.2)
【手続補正１】
【補正対象書類名】特許請求の範囲
【補正対象項目名】全文
【補正方法】変更
【補正の内容】
【特許請求の範囲】
【請求項１】
ネットワーク上で信号を送受信するためのシステムであって、
マルチモード信号取得のために構成されたレシーバを備え、前記レシーバは、
受信信号をフィルタリングしてフィルタリング済み信号を生成するよう構成されたフィルタモジュールと、
前記フィルタリング済み信号をサンプリングしてサンプリング済み信号を生成するよう構成されたサンプリングモジュールと、
第１の所定の周波数に関連する前記サンプリング済み信号の少なくとも１つの特性を解析し、前記少なくとも１つの特性に関連する第１の出力信号を生成するよう構成された第１の解析モジュールと、
第２の所定の周波数に関連する前記サンプリング済み信号の前記少なくとも１つの特性を解析し、前記少なくとも１つの特性に関連する第２の出力信号を生成するよう構成された第２の解析モジュールと、
前記第１の解析モジュールからの前記第１の出力信号および前記第２の解析モジュールからの前記第２の出力信号に基づいて、前記受信信号を複数の異なる通信モードの１つに分類するよう構成された分類モジュールと、
を備える、システム。
【請求項２】
請求項１に記載のシステムであって、前記第１の所定の周波数は、前記第２の所定の周波数と異なる、システム。
【請求項３】
請求項１に記載のシステムであって、前記少なくとも１つの特性は、電力スペクトル密度（ＰＳＤ）を含む、システム。
【請求項４】
請求項１に記載のシステムであって、前記第１の解析モジュールおよび前記第２の解析モジュールは、前記第１の所定の周波数および前記第２の所定の周波数にそれぞれ基づいてＧｏｅｒｔｚｅｌアルゴリズムを実行するよう構成される、システム。
【請求項５】
請求項１に記載のシステムであって、前記第１の所定の周波数は、前記複数の異なる通信モードの内の第１の通信モードに関連し、前記第２の所定の周波数は、前記複数の異なる通信モードの内の第２の通信モードに関連する、システム。
【請求項６】
請求項５に記載のシステムであって、前記複数の異なる通信モードの内の前記第１の通信モードおよび前記複数の異なる通信モードの内の前記第２の通信モードは各々、振幅偏移変調（ＡＳＫ）通信モード、周波数偏移変調（ＦＳＫ）通信モード、位相偏移変調（ＰＳＫ）通信モード、直交振幅変調（ＱＡＭ）通信モード、直交ＰＳＫ（ＱＰＳＫ）通信モード、オフセットＱＰＳＫ（Ｏ−ＱＰＳＫ）通信モード、および、直交周波数分割多重（ＯＦＤＭ）通信モードからなる群より選択される、システム。
【請求項７】
請求項１に記載のシステムであって、さらに、トランスミッタを備える、システム。
【請求項８】
レシーバにおけるマルチモード信号取得の方法であって、
複数の異なる通信モードの１つに関連する通信信号を受信する工程と、
前記通信信号をサンプリングしてサンプリング済み信号を生成する工程と、
第１の所定の周波数に関連する前記サンプリング済み信号の少なくとも１つの特性を解析する工程と、
前記少なくとも１つの特性に関連する第１の出力信号を生成する工程と、
第２の所定の周波数に関連する前記サンプリング済み信号の前記少なくとも１つの特性を解析する工程と、
前記少なくとも１つの特性に関連する第２の出力信号を生成する工程と、
前記受信した信号を、前記第１の出力信号および前記第２の出力信号に基づいて、前記複数の異なる通信モードの１つに分類する工程と、
を備える、方法。
【請求項９】
請求項８に記載の方法であって、前記第１の所定の周波数は、前記第２の所定の周波数と異なる、方法。
【請求項１０】
請求項８に記載の方法であって、前記少なくとも１つの特性は、電力スペクトル密度（ＰＳＤ）を含む、方法。
【請求項１１】
請求項８に記載の方法であって、前記第１の所定の周波数に関連する前記サンプリング済み信号の少なくとも１つの特性を解析する工程、および、前記第２の所定の周波数に関連する前記サンプリング済み信号の前記少なくとも１つの特性を解析する工程は、前記第１の所定の周波数および前記第２の所定の周波数にそれぞれ基づいてＧｏｅｒｔｚｅｌアルゴリズムを実行する工程を含む、方法。
【請求項１２】
請求項８に記載の方法であって、前記第１の所定の周波数は、前記複数の異なる通信モードの内の第１の通信モードに関連し、前記第２の所定の周波数は、前記複数の異なる通信モードの内の第２の通信モードに関連する、方法。
【請求項１３】
請求項１２に記載の方法であって、前記複数の異なる通信モードの内の前記第１の通信モードおよび前記複数の異なる通信モードの内の前記第２の通信モードは各々、振幅偏移変調（ＡＳＫ）通信モード、周波数偏移変調（ＦＳＫ）通信モード、位相偏移変調（ＰＳＫ）通信モード、直交振幅変調（ＱＡＭ）通信モード、直交ＰＳＫ（ＱＰＳＫ）通信モード、オフセットＱＰＳＫ（Ｏ−ＱＰＳＫ）通信モード、および、直交周波数分割多重（ＯＦＤＭ）通信モードからなる群より選択される、方法。
【請求項１４】
請求項８に記載の方法であって、さらに、前記複数の異なる通信モードの前記１つに従って、完全な信号取得をするよう前記レシーバを構成する工程を備える、方法。
【請求項１５】
デジタル信号を処理するよう構成された装置であって、
受信信号をフィルタリングしてフィルタリング済み信号を生成するよう構成されたフィルタモジュールと、
前記フィルタリング済み信号をサンプリングしてサンプリング済み信号を生成するよう構成されたサンプリングモジュールと、
第１の所定の周波数に関連する前記サンプリング済み信号のスペクトル密度を解析し、前記第１の所定の周波数に対する前記スペクトル密度に関連する第１の出力信号を生成するよう構成された第１の解析モジュールと、
第２の所定の周波数に関連する前記サンプリング済み信号の前記スペクトル密度を解析し、前記第２の所定の周波数に対する前記スペクトル密度に関連する第２の出力信号を生成するよう構成された第２の解析モジュールと、
前記第１の解析モジュールからの前記第１の出力信号および前記第２の解析モジュールからの前記第２の出力信号に基づいて、前記受信信号を複数の異なる通信モードの１つに分類するよう構成された分類モジュールと、
を備える、装置。
【請求項１６】
請求項１５に記載の装置であって、前記第１の所定の周波数は、前記第２の所定の周波数と異なる、装置。
【請求項１７】
請求項１５に記載の装置であって、前記第１の解析モジュールおよび前記第２の解析モジュールは、前記第１の所定の周波数および前記第２の所定の周波数にそれぞれ基づいてＧｏｅｒｔｚｅｌアルゴリズムを実行するよう構成される、装置。
【請求項１８】
請求項１５に記載の装置であって、前記第１の所定の周波数は、前記複数の異なる通信モードの内の第１の通信モードに関連し、前記第２の所定の周波数は、前記複数の異なる通信モードの内の第２の通信モードに関連する、装置。
【請求項１９】
請求項１８に記載の装置であって、前記複数の異なる通信モードの内の前記第１の通信モードおよび前記複数の異なる通信モードの内の前記第２の通信モードは各々、振幅偏移変調（ＡＳＫ）通信モード、周波数偏移変調（ＦＳＫ）通信モード、位相偏移変調（ＰＳＫ）通信モード、直交振幅変調（ＱＡＭ）通信モード、直交ＰＳＫ（ＱＰＳＫ）通信モード、オフセットＱＰＳＫ（Ｏ−ＱＰＳＫ）通信モード、および、直交周波数分割多重（ＯＦＤＭ）通信モードからなる群より選択される、装置。
【請求項２０】
請求項１５に記載の装置であって、前記装置は、ユーティリティ通信ネットワーク内のノードに関連する、装置。
【請求項２１】
請求項１５に記載の装置であって、前記装置は、特定用途向け集積回路（ＡＳＩＣ）として実装される、装置。
【請求項２２】
異なる通信モードの複数の信号をレシーバに送信し、前記複数の信号を前記レシーバで受信する方法であって、
第１の通信モードに従って、第１の信号を第１のトランスミッタから前記レシーバに送信する工程と、
第２の通信モードに従って、第２の信号を第２のトランスミッタから前記レシーバに送信する工程と、
を備え、
前記第１の通信モードは前記第２の通信モードと異なり、前記第１の信号および前記第２の信号は、共通の初期通信モードなしに前記レシーバに送信される、方法。
【請求項２３】
請求項２２に記載の方法であって、さらに、
前記第１の信号をサンプリングして第１のサンプリング済み信号を生成する工程と、
第１の所定の周波数に関連する前記第１のサンプリング済み信号の少なくとも１つの特性を解析する工程と、
前記第１のサンプリング済み信号の前記少なくとも１つの特性に関連する第１の出力信号を生成する工程と、
第２の所定の周波数に関連する前記第１のサンプリング済み信号の前記少なくとも１つの特性を解析する工程と、
前記第１のサンプリング済み信号の前記少なくとも１つの特性に関連する第２の出力信号を生成する工程と、
前記第１の信号を、前記第１の出力信号および前記第２の出力信号に基づいて、前記異なる通信モードの１つに分類する工程と、
を備える、方法。
【請求項２４】
請求項２３に記載の方法であって、さらに、
前記第２の信号をサンプリングして第２のサンプリング済み信号を生成する工程と、
前記第１の所定の周波数に関連する前記第２のサンプリング済み信号の少なくとも１つの特性を解析する工程と、
前記第２のサンプリング済み信号の前記少なくとも１つの特性に関連する第３の出力信号を生成する工程と、
前記第２の所定の周波数に関連する前記第２のサンプリング済み信号の前記少なくとも１つの特性を解析する工程と、
前記第２のサンプリング済み信号の前記少なくとも１つの特性に関連する第４の出力信号を生成する工程と、
前記第２の信号を、前記第３の出力信号および前記第４の出力信号に基づいて、前記異なる通信モードの１つに分類する工程と、
を備える、方法。
【外国語明細書】
2013051675000001.pdf